【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  哺乳類Iiタンパク質をコードするRNA分子との二本鎖分子の形成によって機能するIiタンパク質発現または免疫調節機能の特異的調節因子であって、該二本鎖分子の形成はIiタンパク質合成を翻訳レベルで阻害するように機能し、該特異的調節因子は10〜50ヌクレオチド塩基を含んでなる共重合体であり、該共重合体は哺乳類Iiタンパク質をコードするRNA分子に特異的にハイブリダイズできることを特徴とし、オリゴヌクレオチドCTCGGTACCTACTGGを特に除く、特異的調節因子。
【請求項２】  ヌクレオチド塩基がホスホジエステル、モノチオリン酸エステル、アルキルホスホン酸エステル、アミドリン酸エステル、ホスホトリエステル、2'-デオキシリボース、2'-O-アルキルリボース、2'-O-アルケニルリボース、2'-O-置換されたアルキルリボース、モルホリン、アミド結合及び相同物よりなる群から選択される成分を含む主鎖に結合されている請求項１記載の特異的調節因子。
【請求項３】  ヌクレオチド塩基がアデニン、シトシン、グアニン、チミン、ウラシル、2,6-ジアミノプリン、5-プロピニルウラシル、5-プロピニルシトシン及び相同物よりなる群から選択される請求項２記載の特異的調節因子。
【請求項４】  哺乳類Iiタンパク質をコードするRNA分子の翻訳開始部位に相補的なヌクレオチド塩基配列を含んでなる請求項３記載の特異的調節因子。
【請求項５】  配列番号:54のヌクレオチド塩基配列を含んでなる請求項４記載の特異的調節因子。
【請求項６】  配列番号:53のヌクレオチド塩基配列を含んでなる請求項４記載の特異的調節因子。
【請求項７】  配列番号:52のヌクレオチド塩基配列を含んでなる請求項４記載の特異的調節因子。
【請求項８】  配列番号:40のヌクレオチド塩基配列を含んでなる請求項４記載の特異的調節因子。
【請求項９】  配列番号:55のヌクレオチド塩基配列を含んでなる請求項４記載の特異的調節因子。
【請求項１０】  該RNA分子のスプライス部位の境界となるエキソンの部分に相補的なヌクレオチド塩基配列を含んでなる請求項３記載の特異的調節因子。
【請求項１１】  配列番号:32のヌクレオチド塩基配列を含んでなる請求項１０記載の特異的調節因子。
【請求項１２】  配列番号:62のヌクレオチド塩基配列を含んでなる請求項１０記載の特異的調節因子。
【請求項１３】  該RNA分子のイントロンスプライシングを阻害する請求項３記載の特異的調節因子。
【請求項１４】  該RNA分子の第一エキソンの3'末端の部分及び第一イントロンの5'末端の部分に相補的な請求項１３記載の特異的調節因子。
【請求項１５】  該RNA分子の終止コドンの3'の領域に相補的な請求項３記載の特異的調節因子。
【請求項１６】  配列番号:64のヌクレオチド塩基配列を含んでなる請求項１５記載の特異的調節因子。
【請求項１７】  該RNA分子の開始コドンの5'の領域に相補的な請求項３記載の特異的調節因子。
【請求項１８】  配列番号:48のヌクレオチド塩基配列を含んでなる請求項１７記載の特異的調節因子。
【請求項１９】  CLIPペプチドをコードする領域に相補的な請求項３記載の特異的調節因子。
【請求項２０】  配列番号:11のヌクレオチド塩基配列を含んでなる請求項１９記載の特異的調節因子。
【請求項２１】  ハイブリダイズしたRNA分子に特異的調節因子を架橋する１つまたはそれ以上の化学基に末端または内部の部位で結合させる請求項３記載の特異的調節因子。
【請求項２２】  化学基がアルキル化基である請求項２１記載の特異的調節因子。
【請求項２３】  ハイブリダイズしたRNA分子の切断を触媒する化学基に結合させる請求項３記載の特異的調節因子。
【請求項２４】  化学基がキレート化剤である請求項２３記載の特異的調節因子。
【請求項２５】  該RNA分子を切断するように設計されたリボザイムである請求項３記載の特異的調節因子。
【請求項２６】 ハイブリダイゼーションを安定させるために哺乳類Iiタンパク質をコードするRNA分子のヌクレオチド塩基中に挿入される化学基に結合させる請求項３記載の特異的調節因子。
【請求項２７】  細胞の取り込みを高める化学成分に結合させる請求項３記載の特異的調節因子。
【請求項２８】  特定の細胞タイプによる取り込みを導く化学成分に結合させる請求項３記載の特異的調節因子。
【請求項２９】  薬理学的性質または毒性プロフィールを改善する化学成分に結合させる請求項３記載の特異的調節因子。
【請求項３０】  哺乳類Iiタンパク質をコードするRNA分子との二本鎖分子の形成によって機能するIiタンパク質発現または免疫調節機能の特異的調節因子であって、該二本鎖分子の形成はIiタンパク質合成を翻訳レベルで阻害するように機能し、
ａ）哺乳類Iiタンパク質をコードするRNA分子の全第一エキソンを通って5'非翻訳配列にまたがるヌクレオチド配列；
ｂ）哺乳類Iiタンパク質をコードするRNA分子の翻訳開始部位を通って5'非翻訳配列にまたがるヌクレオチド配列；並びに
ｃ）哺乳類Iiタンパク質をコードするRNA分子の１つのエキソンの3'末端のヌクレオチド配列及び隣接する下流エキソンの5'末端のヌクレオチド配列にまたがるヌクレオチド配列、
よりなる群から選択されるヌクレオチド配列に相補的なRNA分子をコードするDNA分子を含んでなる、上記特異的調節因子。
【請求項３１】  DNA分子がcDNA分子である請求項３０記載の特異的調節因子。
【請求項３２】  DNA分子が、哺乳類Iiタンパク質をコードするRNA分子の全第一エキソンを通って5'非翻訳配列にまたがるヌクレオチド配列に相補的なRNA分子をコードする請求項３０記載の特異的調節因子。
【請求項３３】  配列番号:68のヌクレオチド塩基配列を含んでなる請求項３２記載の特異的調節因子。
【請求項３４】  配列番号:72のヌクレオチド塩基配列を含んでなる請求項３２記載の特異的調節因子。
【請求項３５】  配列番号:77のヌクレオチド塩基配列を含んでなる請求項３１記載の特異的調節因子。
【請求項３６】  配列番号:78のヌクレオチド塩基配列を含んでなる請求項３１記載の特異的調節因子。
【請求項３７】  配列番号:79のヌクレオチド塩基配列を含んでなる請求項３１記載の特異的調節因子。
【請求項３８】  DNA分子が、哺乳類Iiタンパク質をコードするRNA分子の翻訳開始部位を通って5'非翻訳配列にまたがるヌクレオチド配列に相補的なRNA分子をコードする請求項３０記載の特異的調節因子。
【請求項３９】  配列番号:75のヌクレオチド塩基配列を含んでなる請求項３８記載の特異的調節因子。
【請求項４０】  DNA分子が、哺乳類Iiタンパク質をコードするRNA分子の１つのエキソンの3'末端のヌクレオチド配列及び隣接する下流エキソンの5'末端のヌクレオチド配列にまたがるヌクレオチド配列に相補的なRNA分子をコードする請求項３０記載の特異的調節因子。
【請求項４１】  配列番号:71のヌクレオチド塩基配列を含んでなる請求項４０記載の特異的調節因子。
【請求項４２】  ウイルス発現ベクターから発現される請求項３０記載の特異的調節因子。
【請求項４３】  ウイルス発現ベクターが哺乳類細胞へのトランスフェクションを増大できることを特徴とする請求項４２記載の特異的調節因子。
【請求項４４】  製薬学的に許容しうる担体中に調合される請求項１または請求項３０記載の特異的調節因子。
【請求項４５】  製薬学的に許容しうる担体が細胞の集団へのIiの特異的調節因子の送達を高める請求項４４記載の特異的調節因子。
【請求項４６】  製薬学的に許容しうる担体がリポソームである請求項４５記載の特異的調節因子。
【請求項４７】  製薬学的に許容しうる担体が特定の細胞集団へのIi発現の調節因子の送達を高める請求項４４記載の特異的調節因子。
【請求項４８】  製薬学的に許容しうる担体が、特定の細胞集団への送達を高める連結した分子を有するリポソームである請求項４７記載の特異的調節因子。
【請求項４９】  哺乳類Iiタンパク質をコードするRNA分子との二本鎖分子の形成によって機能するIiタンパク質発現または免疫調節機能の特異的調節因子を含有するクラスII MHC陽性抗原提示細胞であって、該二本鎖分子の形成はIiタンパク質合成を翻訳レベルで阻害するように機能し、該特異的調節因子は、哺乳類Iiタンパク質をコードするRNA分子に特異的にハイブリダイズできることを特徴とするヌクレオチド塩基を含んでなる共重合体であり、オリゴヌクレオチドCTCGGTACCTACTGGを特に除く、上記細胞。
【請求項５０】  哺乳類Iiタンパク質をコードするRNA分子との二本鎖分子の形成によって機能するIiタンパク質発現または免疫調節機能の特異的調節因子を含有するクラスII MHC陽性抗原提示細胞であって、該二本鎖分子の形成はIiタンパク質合成を翻訳レベルで阻害するように機能し、該特異的調節因子は、哺乳類Iiタンパク質をコードするRNA分子の全第一エキソンを通って5'非翻訳配列にまたがるヌクレオチド配列、翻訳開始部位を通って5'非翻訳配列にまたがるヌクレオチド配列、並びに１つのエキソンの3'末端のヌクレオチド配列及び隣接する下流エキソンの5'末端のヌクレオチド配列にまたがるヌクレオチド配列よりなる群から選択されるヌクレオチド配列に相補的なRNA分子をコードするDNA分子を含んでなる、上記細胞。
【請求項５１】  悪性細胞である請求項４９または５０記載のクラスII MHC陽性抗原提示細胞。
【請求項５２】  非悪性細胞である請求項４９または５０記載のクラスII MHC陽性抗原提示細胞。
【請求項５３】  ａ）クラスII MHC陽性抗原提示細胞を用意すること；及び
ｂ）クラスII MHC陽性抗原提示細胞に哺乳類Iiタンパク質をコードするRNA分子との二本鎖分子の形成によって機能するIiタンパク質発現または免疫調節機能の特異的調節因子を導入すること（ここで、該二本鎖分子の形成はIiタンパク質合成を翻訳レベルで阻害するように機能し、該特異的調節因子は、哺乳類Iiタンパク質をコードするRNA分子に特異的にハイブリダイズできることを特徴とするヌクレオチド塩基を含んでなる共重合体であり、オリゴヌクレオチドCTCGGTACCTACTGGを特に除く）、
を含んでなる、クラスII MHC陽性抗原提示細胞の表面上にクラスII MHCタンパク質と会合して自己抗原決定基ペプチドを提示する方法。
【請求項５４】  ａ）クラスII MHC陽性抗原提示細胞を用意すること；及び
ｂ）クラスII MHC陽性抗原提示細胞に哺乳類Iiタンパク質をコードするRNA分子との二本鎖分子の形成によって機能するIiタンパク質発現または免疫調節機能の特異的調節因子を導入すること（ここで、該二本鎖分子の形成はIiタンパク質合成を翻訳レベルで阻害するように機能し、該特異的調節因子は、哺乳類Iiタンパク質をコードするRNA分子の全第一エキソンを通って5'非翻訳配列にまたがるヌクレオチド配列、翻訳開始部位を通って5'非翻訳配列にまたがるヌクレオチド配列、並びに１つのエキソンの3'末端のヌクレオチド配列及び隣接する下流エキソンの5'末端のヌクレオチド配列にまたがるヌクレオチド配列よりなる群から選択されるヌクレオチド配列に相補的なRNA分子をコードするDNA分子を含んでなる）、
を含んでなる、クラスII MHC陽性抗原提示細胞の表面上にクラスII MHCタンパク質と会合して自己抗原決定基ペプチドを提示する方法。
【請求項５５】  Iiの特異的調節因子をクラスII MHC陽性抗原提示細胞に電気穿孔により導入する請求項５３または５４記載の方法。
【請求項５６】  ａ）悪性細胞の集団を用意すること及び必要に応じてクラスII MHC分子の発現を誘導する工程；および
ｂ）内因性抗原決定基の提示を高めるために工程ａ）のクラスII MHCを発現する悪性細胞に請求項1に記載のIiタンパク質発現の特異的調節因子を導入する工程；
により生じた細胞を有効成分として含んでなる、悪性腫瘍に対する免疫学的攻撃を高めることにより患者における悪性腫瘍を処置するための製薬学的製剤。
【請求項５７】  ａ）悪性細胞の集団を用意すること及び必要に応じてクラスII MHC分子の発現を誘導する工程；および
ｂ）内因性抗原決定基の提示を高めるために工程ａ）のクラスII MHCを発現する悪性細胞に請求項30に記載のIiタンパク質発現の特異的調節因子を導入する工程；により生じた細胞を有効成分として含んでなる、悪性腫瘍に対する免疫学的攻撃を高めることにより患者における悪性腫瘍を処置するための製薬学的製剤。
【請求項５８】  工程ｂ）により生じた細胞を製剤の調製前に複製能なしにする請求項５６または５７記載の製薬学的製剤。
【請求項５９】  Iiタンパク質発現の特異的調節因子をクラスII MHCを発現する悪性細胞に電気穿孔により導入する請求項５６または５７記載の製薬学的製剤。
【請求項６０】  工程ａ）の悪性細胞の集団が患者から得られる請求項５６または５７記載の製薬学的製剤。
【請求項６１】  ａ）悪性腫瘍の抗原決定基を発現するかまたは含有する細胞の集団を用意すること及び必要に応じてクラスII MHC分子の発現を誘導する工程；および
ｂ）内因性抗原決定基の提示を高めるために工程ａ）のクラスII MHCを発現する細胞に請求項１に記載のIiタンパク質発現の特異的調節因子を導入する工程；により生じた細胞またはその誘導体を有効成分として含んでなる、悪性腫瘍に対する免疫学的攻撃を高めることにより患者における悪性腫瘍を処置するための製薬学的製剤。
【請求項６２】  ａ）悪性腫瘍の抗原決定基を発現するかまたは含有する細胞の集団を用意すること及び必要に応じてクラスII MHC分子の発現を誘導する工程；および
ｂ）内因性抗原決定基の提示を高めるために工程ａ）のクラスII MHCを発現する細胞に請求項３０に記載のIiタンパク質発現の特異的調節因子を導入する工程；により生じた細胞またはその誘導体を有効成分として含んでなる、悪性腫瘍に対する免疫学的攻撃を高めることにより患者における悪性腫瘍を処置するための製薬学的製剤。
【請求項６３】  工程ｂ）により生じた細胞を製剤の調製前に複製能なしにする請求項６１または６２記載の製薬学的製剤。
【請求項６４】  Iiタンパク質発現の特異的調節因子をクラスII MHCを発現する細胞に電気穿孔により導入する請求項６１または６２記載の製薬学的製剤。
【請求項６５】  工程ａ）の細胞の集団が患者から得られる請求項６１または６２記載の製薬学的製剤。
【請求項６６】  請求項1に記載のIiタンパク質発現または免疫調節機能の特異的調節因子を有効成分として含んでなる患者における悪性腫瘍を処置するための製薬学的製剤。
【請求項６７】  請求項30に記載のIiタンパク質発現または免疫調節機能の特異的調節因子を有効成分として含んでなる患者における悪性腫瘍を処置するための製薬学的製剤。
【請求項６８】  投与量が毎日10μg〜100mgの間に保持される請求項６６または６７記載の製薬学的製剤。
【請求項６９】  投与の形態が静脈内注入、体腔への注入、皮膚を越えた吸収、粘膜表面を越えた吸収及び胃腸管を越えた吸収よりなる群から選択される請求項６６または６７記載の製薬学的製剤。
【請求項７０】  Iiタンパク質発現または免疫調節機能の特異的調節因子を製薬学的に許容しうる担体と共に含んでなる請求項６６または６７記載の製薬学的製剤。
【請求項７１】  ａ）望まれていない細胞集団から細胞を用意すること及び必要に応じてクラスII MHC分子の発現を誘導する工程；および
ｂ）抗原決定基のクラスII MHC提示を高めるために請求項1に記載のIiタンパク質発現の特異的調節因子を工程ａ）のクラスII MHCを発現する細胞に導入する工程；により生じた細胞を有効成分として含んでなり、個体に再導入し、個体の望まれていない細胞集団に対する免疫学的攻撃を高めることにより個体における非悪性症状を処置するための製薬学的製剤。
【請求項７２】  ａ）望まれていない細胞集団から細胞を用意すること及び必要に応じてクラスII MHC分子の発現を誘導する工程；および
ｂ）抗原決定基のクラスII MHC提示を高めるために請求項30に記載のIiタンパク質発現の特異的調節因子を工程ａ）のクラスII MHCを発現する細胞に導入する工程；により生じた細胞を有効成分として含んでなり、個体に再導入し、個体の望まれていない細胞集団に対する免疫学的攻撃を高めることにより個体における非悪性症状を処置するための製薬学的製剤。
【請求項７３】  工程ｂ）により生じた細胞を製剤を調製する前に複製能なしにする請求項７１または７２記載の製薬学的製剤。
【請求項７４】  Iiタンパク質発現の特異的調節因子をクラスII MHCを発現する細胞に電気穿孔により導入する請求項７１または７２記載の製薬学的製剤。
【請求項７５】  望まれていない細胞集団が、自己免疫疾患と関連する自己反応性Tリンパ球を含んでなる請求項７１または７２記載の製薬学的製剤。
【請求項７６】  望まれていない細胞集団が、ウイルス感染細胞を含んでなる請求項７１または７２記載の製薬学的製剤。
【請求項７７】  請求項１に記載のIiタンパク質発現または免疫調節機能の特異的調節因子を有効成分として含んでなる患者における自己免疫疾患を処置するための製薬学的製剤。
【請求項７８】  請求項３０に記載のIiタンパク質発現または免疫調節機能の特異的調節因子を有効成分として含んでなる患者における自己免疫疾患を処置するための製薬学的製剤。
【請求項７９】  投与量が毎日10μg〜100mgの間に保持される請求項７７または７８記載の製薬学的製剤。
【請求項８０】  投与の形態が静脈内注入、体腔への注入、皮膚を越えた吸収、粘膜表面を越えた吸収及び胃腸管を越えた吸収よりなる群から選択される請求項７７または７８記載の製薬学的製剤。
【請求項８１】  Iiタンパク質発現または免疫調節機能の特異的調節因子を製薬学的に許容しうる担体と共に含んでなる請求項７７または７８記載の製薬学的製剤。
【請求項８２】  ａ）細胞を用意すること及び必要に応じてクラスII MHC分子の発現を誘導すること；
ｂ）クラスII MHCを発現する細胞に請求項1に記載のIiタンパク質発現の特異的調節因子を導入すること；
ｃ）工程ｂ）により生じたクラスII MHCを発現する細胞を可溶化すること；
ｄ）工程ｃ）の可溶化した細胞からクラスII MHC分子及び会合した自己抗原決定
基ペプチドを精製すること；並びに
ｅ）工程ｄ）のクラスII MHC分子から自己抗原決定基ペプチドを単離することを含んでなる、細胞から自己抗原決定基ペプチドを単離する方法。
【請求項８３】  ａ）細胞を用意すること及び必要に応じてクラスII MHC分子の発現を誘導すること；
ｂ）クラスII MHCを発現する細胞に請求項30に記載のIiタンパク質発現の特異的調節因子を導入すること；
ｃ）工程ｂ）により生じたクラスII MHCを発現する細胞を可溶化すること；
ｄ）工程ｃ）の可溶化した細胞からクラスII MHC分子及び会合した自己抗原決定基ペプチドを精製すること；並びに
ｅ）工程ｄ）のクラスII MHC分子から自己抗原決定基ペプチドを単離することを含んでなる、細胞から自己抗原決定基ペプチドを単離する方法。
【請求項８４】  Iiタンパク質の特異的調節因子をクラスII MHCを発現する細胞に電気穿孔により導入する請求項８２または８３記載の方法。
【請求項８５】  ａ）患者から細胞を用意すること及び必要に応じてクラスII MHC分子の発現を誘導する工程；
ｂ）クラスII MHCを発現する細胞に請求項1に記載のIiタンパク質発現の特異的調節因子を導入する工程；
ｃ）工程ｂ）により生じたクラスII MHCを発現する細胞を可溶化する工程；
ｄ）工程ｃ）の可溶化した細胞からクラスII MHC分子及び会合した自己抗原決定基ペプチドを精製する工程；並びに
ｅ）工程ｄ）のクラスII MHC分子から自己抗原決定基ペプチドを単離する工程；により生じた自己抗原決定基ペプチドの合成調製物を有効成分として含んでなる、患者における病原性自己免疫応答を処置するための製薬学的製剤。
【請求項８６】  ａ）患者から細胞を用意すること及び必要に応じてクラスII MHC分子の発現を誘導する工程；
ｂ）クラスII MHCを発現する細胞に請求項30に記載のIiタンパク質発現の特異的調節因子を導入する工程；
ｃ）工程ｂ）により生じたクラスII MHCを発現する細胞を可溶化する工程；
ｄ）工程ｃ）の可溶化した細胞からクラスII MHC分子及び会合した自己抗原決定基ペプチドを精製する工程；並びに
ｅ）工程ｄ）のクラスII MHC分子から自己抗原決定基ペプチドを単離する工程；により生じた自己抗原決定基ペプチドの合成調製物を有効成分として含んでなる、患者における病原性自己免疫応答を処置するための製薬学的製剤。
【請求項８７】  Iiタンパク質の特異的調節因子をクラスII MHCを発現する細胞に電気穿孔により導入する請求項８５または８６記載の製薬学的製剤。
【請求項８８】  細胞が、病的プロセスにおいて活性のあるT細胞受容体を発現するTリンパ球である請求項８５または８６記載の製薬学的製剤。
【請求項８９】  細胞が、病原性自己免疫応答の標的細胞である請求項８５または８６記載の製薬学的製剤。
【請求項９０】  細胞が、ウイルスに感染している請求項８５または８６記載の製薬学的製剤。
【請求項９１】  組織の細胞において活性のあるプロモーターの制御下にIi遺伝子を含んでなる発現構築物を有効成分として含んでなり、；そして該発現構築物は疾病発症の前に個体の組織の細胞に導入されるものである、個体において自己免疫反応を引き起こすと思われる組織におけるIi発現を増やすことにより危険にさらされた個体における組織特異的自己免疫疾患を処置するための製薬学的製剤。
【請求項９２】  ２０〜１０００ダルトンの有機分子を含んでなるIiタンパク質発現または免疫調節機能の特異的調節因子。